(57)【要約】  複数のガラス板Ｇを検査する検査工程と、検査工程を経たガラス板Ｇを搬送する搬送工程と、搬送工程の搬送経路上からガラス板Ｇを取り出してパレット１１に積載する積載工程と、を備えたガラス板の製造方法であって、ガラス板Ｇの中に廃棄ガラス板Ｇｘが生じた場合に、検査工程を実施する検査ゾーン４又はその下流側の搬送経路上で廃棄ガラス板Ｇｘを落下させて廃棄する廃棄工程を備えている。
2020090627.tif 000002
【特許請求の範囲】
【請求項１】
複数のガラス板を検査する検査工程と、
前記検査工程を経た前記ガラス板を搬送する搬送工程と、
前記搬送工程の搬送経路上から前記ガラス板を取り出して積載容器に積載する積載工程と、を備えたガラス板の製造方法であって、
前記ガラス板の中に廃棄ガラス板が生じた場合に、前記検査工程を実施する検査ゾーン又はその下流側の前記搬送経路上で前記廃棄ガラス板を落下させて廃棄する第一廃棄工程を備えていることを特徴とするガラス板の製造方法。
【請求項２】
前記搬送工程では、前記ガラス板を縦姿勢で表面に沿って横方向に搬送することを特徴とする請求項１に記載のガラス板の製造方法。
【請求項３】
前記第一廃棄工程では、前記廃棄ガラス板を前記搬送経路の階下に設けられた回収室内に落下させて廃棄することを特徴とする請求項１又は２に記載のガラス板の製造方法。
【請求項４】
前記検査工程の前工程として、ガラスリボンを成形する成形工程と、前記ガラスリボンを幅方向に切断して前記ガラス板を得る切断工程と、を更に備えると共に、
前記検査工程の前工程で前記廃棄ガラス板が生じた場合に、前記検査ゾーンの上流側で前記廃棄ガラス板を落下させて廃棄する第二廃棄工程を更に備え、
前記第二廃棄工程では、前記第一廃棄工程と同じ前記回収室内に前記廃棄ガラス板を落下させて廃棄することを特徴とする請求項３に記載のガラス板の製造方法。
【請求項５】
前記第一廃棄工程では、前記検査ゾーンの下流側の前記搬送経路の最上流部で前記ガラス板を落下させて廃棄することを特徴とする請求項４に記載のガラス板の製造方法。
【請求項６】
複数のガラス板を検査する検査装置と、前記検査装置の検査を経た前記ガラス板を搬送する搬送装置と、前記搬送装置の搬送経路上から前記ガラス板を取り出して積載容器に積載する積載装置と、を備えたガラス板の製造装置であって、
前記検査装置が配置された検査ゾーン又はその下流側の前記搬送経路上で、前記ガラス板の中に含まれる廃棄ガラス板を落下させて廃棄する廃棄部を備えていることを特徴とするガラス板の製造装置。
【発明の詳細な説明】
【技術分野】
【０００１】
本発明は、ガラス板の製造方法および製造装置に関する。
【背景技術】
【０００２】
周知のように、液晶ディスプレイ、有機ＥＬディスプレイなどのフラットパネルディスプレイには、ガラス板が使用される。【０００３】
ガラス板の製造工程では、まず、長尺なガラスリボンを連続的に成形する。成形方法としては、オーバーフローダウンドロー法、スロットダウンドロー法、リドロー法などのダウンドロー法や、フロート法が広く採用されている。【０００４】
次に、ガラスリボンを所定の長さ毎に幅方向に切断し、ガラスリボンからガラス板を切り出す。【０００５】
その後、例えば、切り出されたガラス板の幅方向両端部を更に切断したり、検査を実施したりするなどの各種工程を経て、ガラス板が作製される。【０００６】
このように作製された複数のガラス板は、搬送装置により所定位置まで搬送されると共に、積載装置により積載容器（例えば、パレットやケースなど）に収容された後、積載容器単位で次工程（納入先の工程も含む）に搬出されるのが一般的である（例えば、特許文献１を参照）。
【先行技術文献】
【特許文献】
【０００７】
【特許文献１】特開２０１０−３０７４４号公報
【発明の概要】
【発明が解決しようとする課題】
【０００８】
ところで、検査工程でガラス板が品質基準を満たさないと判定された場合、そのガラス板を不良品として廃棄するのが一般的である。また、ガラス板の品質に関わらず、積載装置や積載容器などの下流側の工程がトラブルなどで受け入れ不能な場合には、一時的にガラス板を廃棄する必要が生じることもある。すなわち、検査工程でガラス板が品質基準を満たすと判定された場合でも、その良品ガラス板を廃棄せざるを得ないことがある。【０００９】
このように品質やその他の理由で廃棄されるガラス板（以下、単に廃棄ガラス板という）は、廃棄の必要がない良品のガラス板と同様に、搬送装置により所定位置まで搬送されると共に、積載装置により廃棄用の積載容器（例えば、パレットやケースなど）に積載して収容し、廃棄用の積載容器単位で回収（廃棄）される場合がある。【００１０】
しかしながら、このように廃棄用の積載容器に廃棄ガラス板を収納して回収する場合、廃棄ガラス板を積載装置で廃棄用の積載容器へ積載する積載工程が別途必要になる。すなわち、廃棄ガラス板に対して、廃棄されない良品のガラス板と同等の高度な積載工程が必要になることから、廃棄作業が非常に煩雑になり無駄が多くなる。また、廃棄ガラス板を廃棄用の積載容器に積載する積載装置などの専用設備が必要になるため、設備コストの高騰も避けられない。【００１１】
本発明は、設備コストの高騰を招くことなく、廃棄ガラス板を簡単かつ確実に廃棄することを課題とする。
【課題を解決するための手段】
【００１２】
上記の課題を解決するために創案された本発明に係るガラス板の製造方法は、複数のガラス板を検査する検査工程と、検査工程を経たガラス板を搬送する搬送工程と、搬送工程の搬送経路上からガラス板を取り出して積載容器に積載する積載工程と、を備えたガラス板の製造方法であって、ガラス板の中に廃棄ガラス板が生じた場合に、検査工程を実施する検査ゾーン又はその下流側の搬送経路上で廃棄ガラス板を落下させて廃棄する第一廃棄工程を備えていることを特徴とする。ここで、「廃棄ガラス板」とは、廃棄が必要になったガラス板を意味し、品質基準を満たさない不良品ガラス板のみならず、工程トラブルなどの品質基準以外の理由で廃棄が必要になったガラス板（例えば、品質基準を満たす良品ガラス板）を含む場合もある。上記の構成によれば、検査工程を実施する検査ゾーン又はその下流側の搬送経路上で廃棄ガラス板を落下させるだけで、廃棄ガラス板を簡単かつ確実に廃棄できる。そのため、廃棄ガラス板を廃棄用の積載容器にわざわざ積載する必要がなく、更には廃棄用の積載容器に廃棄ガラス板を積載するための設備も不要となる。【００１３】
上記の構成において、搬送工程では、ガラス板を縦姿勢で表面に沿って横方向に搬送することが好ましい。このようにすれば、搬送時にガラス板が空気抵抗を受けにくくなるため、ガラス板の搬送姿勢が安定する。更に、ガラス板が廃棄ガラス板である場合には、縦姿勢のガラス板を落下させることになるため、落下時にもガラス板が空気抵抗を受けにくく、ガラス板の落下姿勢が安定する。【００１４】
上記の構成において、第一廃棄工程では、廃棄ガラス板を搬送経路の階下に設けられた回収室内に落下させて廃棄することが好ましい。このようにすれば、回収室内で発生した廃棄ガラス板に由来するガラス粉が、ガラス板の搬送等が実施されるエリアに侵入しにくくなる。【００１５】
上記の構成において、検査工程の前工程として、ガラスリボンを成形する成形工程と、ガラスリボンを幅方向に切断してガラス板を得る切断工程と、を更に備えると共に、検査工程の前工程で廃棄ガラス板が生じた場合に、検査ゾーンの上流側で廃棄ガラス板を落下させて廃棄する第二廃棄工程を更に備え、第二廃棄工程では、第一廃棄工程と同じ回収室内に廃棄ガラス板を落下させて廃棄することが好ましい。このようにすれば、第一廃棄工程および第二廃棄工程で共通の回収室を使用できるため、回収室を別々に設ける場合に比べて設備コストを削減できる。【００１６】
このように第一廃棄工程と第二廃棄工程で同じ回収室を使用する場合、第一廃棄工程では、検査ゾーンの下流側の搬送経路の最上流部でガラス板を落下させて廃棄することが好ましい。このようにすれば、第一廃棄工程で廃棄ガラス板を落下させる位置と、第二廃棄工程で廃棄ガラス板を落下させる位置とを近づけることができるため、共通化した回収室のスペースを小さくできる。したがって、設備コストを更に削減できる。【００１７】
上記の課題を解決するために創案された本発明に係るガラス板の製造装置は、複数のガラス板を検査する検査装置と、検査装置の検査を経たガラス板を搬送する搬送装置と、搬送装置の搬送経路上からガラス板を取り出して積載容器に積載する積載装置と、を備えたガラス板の製造装置であって、検査装置が配置された検査ゾーン又はその下流側の前記搬送経路上で、ガラス板の中に含まれる廃棄ガラス板を落下させて廃棄する廃棄部を備えていることを特徴とする。このようにすれば、検査装置が配置された検査ゾーン又はその下流側の搬送経路上で廃棄ガラス板を廃棄部に落下させるだけで、廃棄ガラス板を簡単かつ確実に廃棄できる。そのため、廃棄ガラス板を廃棄用の積載容器にわざわざ積載する必要がなく、更には廃棄用の積載容器に廃棄ガラス板を積載するための設備も不要となる。
【発明の効果】
【００１８】
本発明によれば、設備コストの高騰を招くことなく、廃棄ガラス板を簡単かつ確実に廃棄できる。
【図面の簡単な説明】
【００１９】
【図１】第一実施形態に係るガラス板の製造装置を示す平面図である。
【図２】図１のＡ−Ａ断面図である。
【図３】第二実施形態に係るガラス板の製造装置を示す平面図である。
【図４】図３のＢ−Ｂ断面図である。
【図５】第三実施形態に係るガラス板の製造装置を示す平面図である。
【図６】第四実施形態に係るガラス板の製造装置を示す平面図である。
【図７】第五実施形態に係るガラス板の製造装置を示す平面図である。
【発明を実施するための形態】
【００２０】
以下、本発明に係る実施形態を添付図面に基づいて説明する。
【００２１】
（第一実施形態）
図１および図２に示すように、第一実施形態に係るガラス板の製造方法は、成形工程と、第一切断工程と、受渡工程と、第二切断工程と、検査工程と、搬送工程と、積載工程と、を備えている。すなわち、第一実施形態に係るガラス板の製造装置は、成形ゾーン（図示省略）と、第一切断ゾーン１と、受渡ゾーン２と、第二切断ゾーン３と、検査ゾーン４と、搬送ゾーン５と、積載ゾーン６と、を備えている。なお、各ゾーン１〜６は、外部からの汚染物質をある程度遮断できる空間を区画形成する処理室７（例えば、クリーンルーム）内に設けられている。
【００２２】
成形ゾーンでは、オーバーフローダウンドロー法によって縦姿勢のガラスリボン（図示省略）を連続成形する成形工程が実施される。成形ゾーンは、第一切断ゾーン１の上方に設けられた上下方向に延びる空間であって、溶融ガラスからガラスリボンを成形する第一ゾーンと、ガラスリボンを徐冷（アニール）する第二ゾーンと、ガラスリボンを冷却する第三ゾーンと、を上方から順に備えている。なお、成形方法は、オーバーフローダウンドロー法に限定されるものではなく、例えば、スロットダウンドロー法やリドロー法などの他のダウンドロー法や、フロート法などであってもよい。なお、フロート法の場合、成形ゾーンは、第一切断ゾーン１の上方でなく、第一切断ゾーン１の横に設けられる。
【００２３】
第一切断ゾーン１では、ガラスリボンを縦姿勢のまま所定長さで幅方向に切断することでガラス板Ｇを得る第一切断工程が実施される。第一切断ゾーン１では、切断装置（図示省略）によって、ガラスリボンの所定位置で幅方向にスクライブ線を形成した後、そのスクライブ線に沿って曲げ応力を作用させて割断する。なお、ガラスリボンの切断方法は、曲げ応力による割断に限定されるものではなく、例えば、レーザー割断やレーザー溶断などであってもよい。
【００２４】
ガラス板Ｇは、例えば、フラットパネルディスプレイの基板として利用される。ガラス板Ｇの板厚は、例えば、０．２ｍｍ〜１０ｍｍであり、ガラス板Ｇのサイズは、例えば、７００ｍｍ×７００ｍｍ〜３０００ｍｍ×３０００ｍｍである。
【００２５】
受渡ゾーン２では、異なる搬送装置の間でガラス板Ｇを受け渡す受渡工程が実施される。本実施形態では、第一切断ゾーン１から受渡ゾーン２にガラス板Ｇを搬送する搬送装置８と、受渡ゾーン２の下流側のゾーンにガラス板Ｇを搬送する搬送装置９との間で、ガラス板Ｇが受け渡される。なお、第一切断ゾーン１から積載ゾーン６に至るまでの間に、異なる搬送装置の間でガラス板Ｇを受け渡すための受渡ゾーンを複数設けてもよい。
【００２６】
搬送装置８は、縦姿勢のガラス板Ｇの幅方向両端部を保持した状態で、ガラス板Ｇの板厚方向に沿ってガラス板Ｇを搬送する。一方、搬送装置９は、縦姿勢のガラス板Ｇの上端部を保持して吊り下げた状態で、ガラス板Ｇの表面に沿って横方向（好ましくは水平方向）にガラス板Ｇを搬送する。すなわち、本実施形態では、受渡ゾーン２において、搬送装置８，９が切り替えられると共に、ガラス板Ｇの搬送方向も変化する。なお、搬送装置８，９は、搬送経路上の所定範囲を往復移動可能になっている。搬送装置８，９によるガラス板Ｇの保持方法としては、例えば、ガラス板Ｇを吸着したり、挟持（チャック）したりすることが挙げられる。搬送装置８，９によるガラス板Ｇの保持態様や搬送方向は特に限定されるものではなく、適宜変更できる。
【００２７】
第二切断ゾーン３では、ガラス板Ｇの幅方向両端部を上下方向に切断して除去する第二切断工程が実施される。第二切断ゾーン３では、切断装置（図示省略）によって、ガラス板Ｇの所定位置で上下方向にスクライブ線Ｓを形成した後、スクライブ線Ｓに沿って曲げ応力を作用させてガラス板Ｇを割断する。なお、除去されるガラス板Ｇの幅方向両端部には、幅方向中央部よりも相対的に厚さが大きくなる耳部が含まれる場合がある。また、ガラスリボンの切断方法は、曲げ応力による割断に限定されるものではなく、例えば、レーザー割断やレーザー溶断などであってもよい。
【００２８】
検査ゾーン４では、複数のガラス板Ｇを連続して検査する検査工程が実施される。本実施形態では、検査ゾーン４では、一又は複数の検査装置１０によって、ガラス板Ｇの偏肉（板厚）を測定したり、ガラス板Ｇの筋（脈理）を測定したり、ガラス板Ｇに含まれる欠陥の種類（例えば、泡、異物など）・位置（座標）・大きさを測定したりする。検査装置１０の検査結果は、ガラス板Ｇの識別情報と共にデータベースに保存される。なお、検査ゾーン４における検査内容は、特に限定されるものではなく、適宜変更できる。また、検査ゾーン４の下流側かつ搬送ゾーン５の上流側に、マーキング工程を実施するためのマーキングゾーンを設けてもよい。マーキングゾーンでは、例えば、ガラス板Ｇに対して二次元コードや一次元コードが印字される。印字されたコードは、ガラス板Ｇの識別情報を示し、検査結果等を含んでもよい。
【００２９】
搬送ゾーン５では、搬送装置９によって、検査を経たガラス板Ｇを搬送する搬送工程が実施される。なお、搬送ゾーン５では、搬送装置９によって、縦姿勢のガラス板Ｇ上端部が保持された状態で、ガラス板Ｇがその表面に沿って横方向に搬送される。
【００３０】
積載ゾーン６では、搬送ゾーン５の各受渡ゾーン５ａ〜５ｃから取り出されたガラス板Ｇを複数のパレット１１に積み分けて積載する積載工程が実施される。本実施形態では、積載ゾーン６は、搬送ゾーン５における搬送経路に沿って複数のゾーン６ａ〜６ｃに分割されている。図示例では、搬送ゾーン５には、３つの受渡ゾーン５ａ〜５ｃが設けられおり、積載ゾーン６には、各受渡ゾーン５ａ〜５ｃに対応する３つの積載ゾーン６ａ〜６ｃが設けられている。なお、受渡ゾーンおよび積載ゾーンの数は、特に限定されない。
【００３１】
各積載ゾーン６ａ〜６ｃには、パレット１１と、パレット１１にガラス板Ｇを積載するための専用の積載装置１２とが配置されている。各積載装置１２は、搬送ゾーン５の各受渡ゾーン５ａ〜５ｃと、各積載ゾーン６ａ〜６ｃとの間を往復移動可能となっている。各積載装置１２は、縦姿勢のガラス板Ｇの上端部を保持（例えば、吸着又は挟持）した状態で、ガラス板Ｇをその板厚方向に沿って搬送すると共に、パレット１１にガラス板Ｇを縦姿勢で重ねて積載する。この際、パレット１１上のガラス板Ｇの相互間には合紙などの保護シート（図示省略）が介装される。なお、積載装置１２によるガラス板Ｇの保持態様や搬送方向は特に限定されるものではなく、適宜変更できる。
【００３２】
第一実施形態に係るガラス板の製造方法は、検査装置１０による検査結果に基づいて、それぞれのガラス板Ｇの格付けを行う格付け工程を更に備えている。ガラス板Ｇの格付けは、検査結果に基づいて良品と判定されたガラス板Ｇを品質に応じて複数種に分類するものである。上位の格に属するガラス板Ｇは下位の格に属するガラス板Ｇよりも品質がよく、同一の格に属するガラス板Ｇに対しては実質的に同じ後加工を実施できる。
【００３３】
本実施形態では、検査装置１０の検査結果は制御部１３に入力され、制御部１３が入力された検査結果に基づいて各ガラス板Ｇの格付けを自動で判定する。なお、作業者が入力された検査結果に基づいて各ガラス板Ｇの格付けを判定してもよい。
【００３４】
制御部１３は、格付けの結果に基づいてガラス板Ｇを積載するパレット１１を自動で選択する。なお、作業者が格付けの結果に基づいてガラス板Ｇを積載するパレット１１を選択してもよい。
【００３５】
詳細には、各パレット１１には、積載すべきガラス板Ｇの格が事前に設定されており、制御部１３は、格付けの結果と、パレット１１に事前に設定された格とが一致するように、ガラス板Ｇを積載するパレット１１を選択する。本実施形態では、制御が容易であることから、複数のパレット１１の配列態様は、上流側から順に格が下がる態様又は上流側から順に格が上がる態様とされている。この配列態様には、同格のパレット１１が複数隣接する場合も含む。そして、搬送装置９および積載装置１２は、制御部１３によって選択されたパレット１１にガラス板Ｇを積載するように動作する。例えば、制御部１３が、格付けの結果に基づいて積載ゾーン６ａに配置されたパレット１１を選択した場合、搬送装置９が受渡ゾーン５ａまでガラス板Ｇを搬送した後、積載装置１２が受渡ゾーン５ａでガラス板Ｇを受け取って積載ゾーン６ａに配置されたパレット１１まで搬送する。このようにすれば、それぞれのパレット１１には、検査工程の結果を反映した格付けの結果に基づいて、同等の品質のガラス板Ｇが積載される。したがって、同一のパレット１１に収納されているガラス板Ｇに対しては、実質的に同じ条件で後加工を効率よく実施することが可能となる。
【００３６】
ただし、搬送装置９のタクトタイムと、積載装置１２のタクトタイムとが異なるときには、制御部１３が格付けの結果に基づいて選択したパレット１１において、先行のガラス板Ｇの積載が終了しておらず、後続のガラス板Ｇを積載できない場合がある。また同様に、積載装置１２などにトラブルが発生すると、制御部１３が格付けの結果に基づいて選択したパレット１１にガラス板Ｇを積載できない場合がある。
【００３７】
このように選択されたパレット１１が受け入れ不能な場合には、制御部１３は、下位の格を積載すべき別のパレット１１を再選択する。この場合、制御部１３は、上位の格が下位の格と互換性があることを事前に確認する。ここで、上位の格において良品ガラス板を採取する領域に、下位の格において良品ガラス板を採取する領域が含まれている場合に、上位の格が下位の格と互換性があると判定する。具体的には、例えば、上位の格がガラス板Ｇから一枚の大きな良品ガラス板を採取する対象であり、下位の格がガラス板Ｇの右半分を良品ガラス板として採取する対象である場合などである。そして、互換性が確認された後、搬送装置９および積載装置１２は、制御部１３によって再選択された下位の格のパレット１１にガラス板Ｇを積載するように動作する。このようにすれば、特定のパレット１１が受け入れ不能な場合でも、その特定のパレット１１よりも下位の格のパレット１１にガラス板Ｇが積載されるため、ガラス板Ｇを廃棄することなく有効活用できる。
【００３８】
第一実施形態に係るガラス板の製造方法は、ガラス板Ｇの中に廃棄する廃棄ガラス板Ｇｘ（良品ガラス板と不良品ガラス板の両方を含む）が生じた場合に、その廃棄ガラス板Ｇｘを廃棄する廃棄工程を更に備えている。本実施形態では、廃棄工程は、検査ゾーン４又はその下流側かつ積載ゾーン６の上流側（第一廃棄工程）と、検査ゾーン４の上流側（第二廃棄工程）との２箇所で実施される。なお、検査ゾーン４の上流側における廃棄工程は、省略してもよい。
【００３９】
検査ゾーン４の上流側の廃棄工程では、上流廃棄口１４を通じて処理室７の階下に設けられた回収室（廃棄部）１５に廃棄ガラス板Ｇｘを落下させることにより廃棄する。一方、検査ゾーン４又はその下流側かつ積載ゾーン６の上流側の廃棄工程では、下流廃棄口１６を通じて処理室７の階下に設けられた回収室１５に廃棄ガラス板Ｇｘを落下させことにより廃棄する。なお、処理室７と回収室１５とは、フロア面（処理室７の床面）１７によって分離された空間である。例えば、処理室７は建物の二階部分に設けられ、回収室１５は建物の一階部分に設けられる。
【００４０】
廃棄ガラス板Ｇｘは、対応する廃棄口１４，１６の上方で搬送装置８，９による保持を解除することで、処理室７から回収室１５内に落下する。
【００４１】
上流廃棄口１４は、本実施形態では、受渡ゾーン２のフロア面１７に設けられている。
【００４２】
上流廃棄口１４を通じて廃棄ガラス板Ｇｘの廃棄を行うタイミングは、例えば、成形ゾーンの立ち上げ時、成形ゾーンで成形不良が生じたとき、第一切断ゾーン１で切断不良が生じたとき、トラブルなどにより下流側工程でガラス板Ｇが受け入れ不能なときなどが挙げられる。
【００４３】
下流廃棄口１６は、本実施形態では、搬送ゾーン５における搬送経路の最下流部、すなわち、最下流に配置されたパレット１１にガラス板Ｇを供給するための受渡ゾーン５ｃのフロア面１７に設けられている。搬送ゾーン５における搬送経路の上流側で廃棄ガラス板Ｇｘの廃棄を行うと、廃棄位置を通過後にトラブルが発生した場合に廃棄ガラス板Ｇｘの取り扱いが困難になる。このような問題は、上記のように搬送ゾーン５における搬送経路の最下流部で廃棄ガラス板Ｇｘの廃棄を行うことにより回避できる。
【００４４】
下流廃棄口１６を通じて廃棄ガラス板Ｇｘの廃棄を行うタイミングは、積載すべきパレット１１を選択できないときである。積載すべきパレット１１を選択できないときとしては、例えば、検査装置１０の検査でガラス板Ｇが不良品と判定されたとき、トラブルなどにより全てのパレット１１においてガラス板Ｇが受け入れ不能なときなどが挙げられる。
【００４５】
回収室１５は、上流廃棄口１４に対応する部分と、下流廃棄口１６に対応する部分で分離された異なる空間であってもよいが、本実施形態では同じ空間である。このようにすれば、２つの廃棄口１４，１６に対応する回収室１５を共通化できるため、設備コストを削減できる。
【００４６】
回収室１５内には、上流廃棄口１４および下流廃棄口１６のそれぞれの真下に、落下してくる廃棄ガラス板Ｇｘを受ける有底筒状の回収容器１８が配置されている。回収容器１８の内部には、落下の衝撃で割れた廃棄ガラス板Ｇｘから生じるガラス片（ガラス粉を含む）の飛散を防止するために、水などの不燃性液体を貯留しておいてもよい。
【００４７】
上流廃棄口１４および下流廃棄口１６には、その開口部を開閉可能な開閉機構（図示省略）が設けられている。このようにすれば、廃棄ガラス板Ｇｘから生じるガラス粉が、回収室１５から処理室７に侵入するのを物理的に遮断できる。なお、回収室１５の天井（すなわち、フロア面１７）が十分高い場合など、ガラス粉の処理室７への侵入の問題がない場合には、開閉機構は省略してもよい。
【００４８】
回収室１５の気圧は、処理室７の気圧よりも低くすることが好ましい。このようにすれば、回収室１５内の気体が、処理室７内に侵入しにくくなる。そのため、回収室１５内のガラス粉が気体と共に処理室７に侵入しにくくなる。この場合、例えば、処理室７内に送風装置を配置すること、および／又は、回収室１５内に集塵装置を配置したりすることにより、上下空間の気圧を調整することができる。なお、集塵装置は、回収室１５内における廃棄口１４，１６の近傍に配置することが好ましい。
【００４９】
（第二実施形態）
図３および図４に示すように、第二実施形態に係るガラス板の製造装置および製造方法が、第一実施形態と相違するところは、下流廃棄口１６を搬送ゾーン５の最上流部、すなわち、最上流のパレット１１にガラス板Ｇを供給するための受渡ゾーン５ａのフロア面１７に設けた点である。
【００５０】
このように下流廃棄口１６を搬送ゾーン５の最上流部に設けると、下流廃棄口１６を搬送ゾーン５の最下流部に設けた第一実施形態に比べ、下流廃棄口１６を上流廃棄口１４に近づけることができる。そのため、上流廃棄口１４および下流廃棄口１６に対応する回収室１５を共通化する場合に、共通化した回収室１５のスペースを小さくできる。その結果、設備コストを削減できる。また、例えば、回収室１５の省スペース化によって回収室１５と同一フロアに生じたスペースに、回収室１５から分離された清浄室１９などを設けることもできる。なお、清浄室１９には、例えば、ガラス板Ｇを収納したパレット１１などを保管できる。
【００５１】
（第三実施形態）
図５に示すように、第三実施形態に係るガラス板の製造装置および製造方法が、第一実施形態および第二実施形態と相違するところは、搬送ゾーン５が、受渡ゾーンとして、２つの受渡ゾーン５ａ〜５ｂのみを備えている点である。
【００５２】
この場合、下流廃棄口１６は、例えば、上流部の受渡ゾーン５ａ（あるいは下流部の受渡ゾーン５ｂ）のフロア面に設けられる。
【００５３】
（第四実施形態）
図６に示すように、第四実施形態に係るガラス板の製造装置および製造方法が、第一実施形態〜第三実施形態と相違するところは、搬送ゾーン５が、受渡ゾーンとして、４つの受渡ゾーン５ａ〜５ｄを備えている点である。
【００５４】
この場合、下流廃棄口１６は、例えば、最上流部の受渡ゾーン５ａと、最下流部の受渡ゾーン５ｄとの間の中間部の受渡ゾーン５ｂ（あるいは受渡ゾーン５ｃ）のフロア面に設けられる。
【００５５】
なお、搬送ゾーン５が４つの受渡ゾーン５ａ〜５ｄを備えている場合でも、下流廃棄口１６は、最上流部の受渡ゾーン５ａ、あるいは、最下流部の受渡ゾーン５ｄのフロア面に設けられていてもよい。また、第一実施形態および第二実施形態で例示したように、搬送ゾーン５が３つの受渡ゾーン５ａ〜５ｃを備えている場合でも、下流廃棄口１６は、最上流部の受渡ゾーン５ａと、最下流部の受渡ゾーン５ｃとの間の中間部の受渡ゾーン５ｂのフロア面に設けられていてもよい。
【００５６】
（第五実施形態）
図７に示すように、第五実施形態に係るガラス板の製造装置および製造方法が、第一実施形態〜第四実施形態と相違するところは、上流廃棄口１４を第一切断ゾーン１のフロア面１７に設けた点である。このようにすれば、成形ゾーンの真下に位置する第一切断ゾーン１のフロア面１７に上流廃棄口１４が設けられるため、成形ゾーンが原因で廃棄するガラスリボン（廃棄ガラス板）が生じた場合に、そのガラスリボンを成形ゾーンから回収室１５にそのまま落下させて廃棄しやすくなる。
【００５７】
なお、本発明は上記の実施形態に何ら限定されるものではなく、本発明の要旨を逸脱しない範囲内において、更に種々なる形態で実施し得る。
【００５８】
上記の実施形態では、ガラス板を縦姿勢で搬送する場合を説明したが、ガラス板の搬送態様は特に限定されるものではなく、例えば、コンベアなどでガラス板Ｇを横姿勢（好ましくは水平姿勢）や傾斜姿勢で搬送してもよい。
【００５９】
上記の実施形態では、検査結果に基づいてガラス板を格付けし、その格付け結果に基づいてガラス板を複数のパレットに積み分ける場合を説明したが、検査結果とは無関係に、ガラス板の積載枚数などに応じてガラス板を複数のパレットに積み分けるようにしてもよい。もちろん、複数のパレットに積み分ける構成に限定されるものではなく、予め配置された一つのパレットに複数のガラス板を順次積載するようにしてもよい。
【００６０】
上記の実施形態では、ガラス板を縦姿勢で重ねて積載するパレットを説明したが、ガラス板を積載する積載容器は特に限定されるものではなく、例えば、ガラス板Ｇを横姿勢（平置き姿勢）で積載するパレットや、ガラス板Ｇを間隔を置いて収納可能な溝付きケースなどであってもよい。
【００６１】
上記の実施形態では、検査ゾーンの上流側と下流側とにそれぞれ廃棄口を設ける場合を説明したが、廃棄口の位置や個数は特に限定されない。例えば、検査ゾーンの上流側の廃棄口は省略してもよい。また、例えば、検査ゾーンの下流側の廃棄口を省略し、廃棄口を検査ゾーンのフロア面に設けてもよい。
【００６２】
上記の実施形態において、ガラス板の搬送ゾーンなどが設けられる処理室内に廃棄部としての有底筒状の回収容器を配置し、その回収容器内にガラス板を落下させて廃棄してもよい。
【符号の説明】
【００６３】
１      第一切断ゾーン
２      受渡ゾーン
３      第二切断ゾーン
４      検査ゾーン
５      搬送ゾーン
６      積載ゾーン
７      処理室
８      搬送装置
９      搬送装置
１０    検査装置
１１    パレット
１２    積載装置
１３    制御部
１４    上流廃棄口
１５    回収室
１６    下流廃棄口
１７    フロア面
１８    回収容器
１９    清浄室
Ｇ      ガラス板
Ｇｘ    廃棄ガラス板
【図１】
2020090627.tif 000003
【図２】
2020090627.tif 000004
【図３】
2020090627.tif 000005
【図４】
2020090627.tif 000006
【図５】
2020090627.tif 000007
【図６】
2020090627.tif 000008
【図７】
2020090627.tif 000009
【国際調査報告】
2020090627.tif 000010
2020090627.tif 000011
2020090627.tif 000012
2020090627.tif 000013
2020090627.tif 000014